(57)【要約】      （修正有）【課題】構造が簡単で施工が容易な組み合わせ式床板の提供。【解決手段】組み合わせ式床板は、組接部、床板本体、からなる。床板本体正面は正方形で内陥凹槽をなし、床板本体の凹槽はタイルを放置する。タイルはゲルにより凹槽内に貼設され、凹槽上方の側辺にフックを有し、フックがタイルを固定する。組接部は本体側辺に設置され、組接部は突出部と凹陥部に分けられる。突出部は床板本体の垂直側に外に延伸し、凹陥部は床板本体のもう一方の垂直側辺に内に凹陥する。床板ともう一つの組み合わせ床板を互いに組接する時、突出部はもう一つの床板本体凹陥部に結合される。本考案はタイルや木質床板を結合し、室内設計に変化を与える。【選択図】図１
0003132823.tif 000002
【実用新案登録請求の範囲】
【請求項１】
DIY組み合わせ式床板であって、組接部、床板本体、からなり、
前記床板本体正面は正方形で内陥凹槽をなし、床板本体の凹槽はタイルを放置し、前記タイルはゲルにより凹槽内に貼設され、前記凹槽上方の側辺にフックを有し、前記フックがタイルを固定し、
前記組接部は前記本体側辺に設置され、前記組接部は突出部と凹陥部に分けられ、前記突出部は前記床板本体の垂直側に外に延伸し、前記凹陥部は前記床板本体のもう一方の垂直側辺に内に凹陥し、前記床板ともう一つの組み合わせ床板を互いに組接する時、前記突出部はもう一つの床板本体凹陥部に結合されることを特徴とするDIY組み合わせ式床板。
【請求項２】
前記組接部の突出部と凹陥部は多角形か円形等の幾何学形で、DIY組み合わせ床板の係合組接を提供することを特徴とする請求項１に記載のDIY組み合わせ式床板。
【請求項３】
前記フックは軟性で、弾性のあるプラスチック材質で、前記タイルを前記凹槽に置いて内に固定し、前記タイル放入時、前記凹槽を外に拡張し、前記タイルを直接係入して固定し、組み合わせが便利であることを特徴とする請求項１に記載のDIY組み合わせ式床板。
【請求項４】
前記凹槽は、タイル、石材、木質床板、或いは、飾板等を結合し、前記床板本体との連接方式は粘着、係合、或いは、接合方式であり、室内設計に多種の変化を与え、客間、厨房、浴室、寝室等に使用し、多種の組み合わせ応用が可能で、前記床板本体は直接取り外しが可能で、交換時には前記タイルを取り換えるだけでよいことを特徴とする請求項１に記載のDIY組み合わせ式床板。
【請求項５】
前記床板本体は更に、中央に排水孔を設置して、排水功能を増加し、トイレや浴室等湿気の多い場所に使用できることを特徴とする請求項１に記載のDIY組み合わせ式床板。
【請求項６】
前記床板本体の背面は線槽を設置し、前記線槽は網状で、電線を中に隠蔵し、電線はインターネット線、電話線、延長線、等で、室内配線に応用して美観を達成することを特徴とする請求項１に記載のDIY組み合わせ式床板。
【考案の詳細な説明】
【技術分野】
【０００１】
本考案は、DIY組み合わせ式床板に関し、特に、室内設計に多種の変化をもたらし、客間、台所、浴室、寝室等に適用できる多種組み合わせ応用可能な組み合わせ床板に関するものである。
【背景技術】
【０００２】
公知の組み合わせ床板は浴室や便所などの防滑場所に使用されることが多く、タイルが未貼設であったり、タイルが破損して新たにタイルを貼る場合は、業者やプロの手に頼ることになるので、時間もコストもかかる。既に貼られたタイルや床板を変化させたい場合も、取り外して新たに設置しなければならないので、実際の施工、使用上、非常に不便で煩雑である。
【０００３】
また、タイルはセメントにより地面に固定し、タイルは断裂後、新たに貼り直しが必要で、職人でないとできない。よって、僅か一回の使用目的となり、自身で貼設したい時に様々な問題がある。
【０００４】
本考案は上述の問題を解決する床板を提供する。
【考案の開示】
【考案が解決しようとする課題】
【０００５】
本考案の目的は、上述の問題を解決するDIY組み合わせ式床板を提供することにある。
【課題を解決するための手段】
【０００６】
本考案のDIY組み合わせ式床板は、組接部、床板本体、からなる。床板本体正面は正方形で内陥凹槽をなし、床板本体の凹槽はタイルを放置する。タイルはゲルにより凹槽内に貼設され、凹槽上方の側辺にフックを有し、フックがタイルを固定する。組接部は本体側辺に設置され、組接部は突出部と凹陥部に分けられる。突出部は床板本体の垂直側に外に延伸し、凹陥部は床板本体のもう一方の垂直側辺に内に凹陥する。床板ともう一つの組み合わせ床板を互いに組接する時、突出部はもう一つの床板本体凹陥部に結合される。本考案はタイルや木質床板を結合し、室内設計に変化を与える。
【考案の効果】
【０００７】
本考案により、以下の長所が得られる。
１．  
組み合わせ式床板を地面に貼設し、床板が装飾され、組み立て、取り外しの施工が便利である。
２．  
自身で完成できる。
３．  
構造が簡単で便利である。
【考案を実施するための最良の形態】
【０００８】
図１と図２は本考案のDIY組み合わせ式床板を示す図で、実施時に、DIY組み合わせ式床板は、組接部３、床板本体１、からなる。
【０００９】
床板本体１正面は正方形で内陥凹槽１１をなし、床板本体１の凹槽１１はタイル４を放置する。タイル４はゲル４１により凹槽１１内に貼設され、凹槽１１上方の側辺にフック１２を有し、フック１２がタイル４を固定し、床板本体１と緊密に結合する。
【００１０】
組接部３は床板本体１側辺に設置され、組接部３は突出部３１と凹陥部３２に分けられる。突出部３１は床板本体１の垂直側に外に延伸し、凹陥部３２は床板本体１のもう一方の垂直側辺に内に凹陥する。床板１ともう一つの組み合わせ床板１を互いに組接する時、突出部３１はもう一つの床板本体１凹陥部３２に結合される。
【００１１】
図３は、本考案のタイル結合図である。凹槽１１はタイル４を結合し、タイル４は、石材、木質床板、或いは、飾板等であり、床板本体１との連接方式は粘着、係合、或いは、接合方式であり、室内設計に多種の変化を与え、客間、厨房、浴室、寝室等に使用し、多種の組み合わせ応用が可能で、床板本体１は直接取り外しが可能で、交換時にはタイル４を取り換えるだけでよい。
【００１２】
図４は本考案の組み合わせ図である。組み合わせ時、床板本体１ともう一つの床板本体１を互いに組接時、突出部３１によりもう一つの床板本体１の凹陥部３２に結合し、床板本体１の凹槽１１がタイル４に結合し、タイル４と床板本体１はゲル４１により地面５に貼置し、地面５が整う。
【００１３】
図５は本考案の組み合わせ実施の断面図で、床板本体１正面は正方形の内陥凹槽１１を呈し、周囲側辺は組接部３を設置し、また、床板本体１の凹槽１１はタイル４を放置する。凹槽１１上方の内側はフック１２を設置し、フック１２はタイル４を固定し、床板本体１と緊密に結合する。フック１２は軟性で、弾性のあるプラスチック材質で、タイル４を凹槽１１に置いて内に固定し、タイル４放入時、凹槽１１を外に拡張し、タイル４を直接係入して固定し、組み合わせが便利である。
【００１４】
図６は本考案の組接部のもう一つの構造図で、床板本体の組接部は、円形幾何学形状に設計し、円形突出部６１と円形凹陥部６２を形成し、DIY組み合わせ式床板係合組接を提供する。
【００１５】
図７は本考案の排水孔構造を示し、床板本体１は凹槽１１内に排水孔７を設置し、排水性を増加し、トイレや浴室等湿気の多い地面に使用する。
【００１６】
図８は本考案の線槽の立体図であり、図９は本考案の線槽の断面図である。床板本体１の背面に線槽８を設置し、線槽８は網状で、電線を中に隠蔵し、電線はインターネット線８１、電話線８２、延長線８３、等で、室内配線に応用して美観を達成する。
【００１７】
図１０は本考案の線槽の実施例図で、床板本体１の組み合わせ後、線槽８はインターネット線８１、電話線８２、及び、延長線８３を容置し、それぞれ、コンピュータ、電話、電源に連接し、この組み合わせ式床板の表面は美観で、整頓され、配線上も整い、美観である。
【００１８】
本考案を公知技術と比較すると、以下のようである。
公知の欠点
１．  
タイルはセメントにより地面に固定し、タイルが断裂した場合は、プロや職人に依頼しなければならず、時間もコストもかかる。
２．  
一回のみの使用であり、自分で貼りたい場合に、種々の問題がある。
本考案の長所
４．  
組み合わせ式床板を地面に貼設し、床板が装飾され、組み立て、取り外しの施工が便利である。
５．  
自身で完成できる。
６．  
構造が簡単で便利である。
【図面の簡単な説明】
【００１９】
【図１】本考案の正面、及び、背面立体構造図である。
【図２】本考案の分解図である。
【図３】本考案のタイル結合立体図である。
【図４】本考案の地面に組み合わせる実施例図である。
【図５】本考案の地面に組み合わせ断面図である。
【図６】本考案の突出部と凹陥部のもう一つの構造図である。
【図７】本考案の排水孔の構造図である。
【図８】本考案の線槽の立体図である。
【図９】本考案の線槽の断面図である。
【図１０】本考案の線槽の実施例図である。
【符号の説明】
【００２０】
床板本体1
凹槽11
フック12
排水孔7
組接部3
突出部31
凹陥部32
タイル4
ゲル41
地面5
円形突出部61
円形凹陥部62
線槽8
インターネット線81
電話線82
延長線83
【図１】
0003132823.tif 000003
【図２】
0003132823.tif 000004
【図３】
0003132823.tif 000005
【図４】
0003132823.tif 000006
【図５】
0003132823.tif 000007
【図６】
0003132823.tif 000008
【図７】
0003132823.tif 000009
【図８】
0003132823.tif 000010
【図９】
0003132823.tif 000011
【図１０】
0003132823.tif 000012